(57)【要約】【課題】  中小企業のＳＥＯ対策として実効のある対策を簡便にできるようにする。【解決手段】  メインサーバ１により提供される共用サイトには、異なる複数の事業主の広告ページである事業主別ページが含まれ、各事業主別ページには、特定の業界の同種の事業に関するキーワードが設定されている。各事業主別ページには、地域を特定するキーワードと特定の業界の同種の事業に関するキーワードが設定されていて、当該地域と当該特定の業界の当該同種の事業を検索した際にヒットするようになっている。【選択図】  図１
2020119202.tif 000002
【特許請求の範囲】
【請求項１】
ユーザーがインターネット検索を行った際の検索結果において自社のウェブページがより上位にランクされるようにする検索エンジン最適化対策サービスを、特定の業界に属して同種の事業を行っている異なる複数の事業主に提供する検索エンジン最適化対策システムであって、
一つの共用サイトを提供するインターネットサーバであるメインサーバを備えており、
この一つの共用サイトには、前記異なる複数の事業主の広告ページである事業主別ページが含まれており、
各事業主別ページには、前記特定の業界の同種の事業に関するキーワードが設定されていて、当該特定の業界の当該同種の事業を検索した際にヒットするようになっており、
各事業主別ページには、地域を特定するキーワードと、前記特定の業界の同種の事業に関するキーワードが設定されていて、当該地域と当該特定の業界の当該同種の事業を検索した際にヒットするようになっていることを特徴とする検索エンジン最適化システム。
【請求項２】
事業主別ページに係る事業主は、同一の地域において一の事業主に限られていることを特徴とする請求項１記載の検索エンジン最適化システム。
【請求項３】
前記各事業主は、前記メインサーバとは別のサーバにおいて自社サイトを運営しており、
前記共用サイト内の事業主別ページには、当該事業主別ページがユーザー端末に表示された状態においてユーザーの操作により自社サイト内のウェブページが当該ユーザー端末に表示されるようにする誘導手段が設けられていることを特徴とする請求項１又は２記載の検索エンジン最適化システム。
【請求項４】
前記共用サイトにおいて、前記事業主別ページよりも上位のウェブページは設けられていないことを特徴とする請求項１、２又は３記載の検索エンジン最適化システム。
【請求項５】
前記共用サイトにおいて、前記事業主別ページよりも上位のウェブページが設けられており、当該上位のウェブページには、地域を特定するキーワードが設定されていないことを特徴とする請求項１、２又は３記載の検索エンジン最適化システム。
【発明の詳細な説明】
【技術分野】
【０００１】
この出願の発明は、インターネット検索エンジン最適化（ＳＥＯ）対策に関するものである。
【背景技術】
【０００２】
インターネット全盛の今日、自社の事業をウェブサイトで紹介し、多くのユーザーに閲覧してもらうことは、広告宣伝の手法の中でも最も重要なものの一つとなっている。したがって、中小零細企業から大企業まで、殆ど全ての企業がウェブサイトを開設し、広告宣伝に利用している。
【０００３】
しかしながら、ウェブサイトを開設しても、アクセスにつながらなければ、広告宣伝として殆ど価値がない。このため、自社のウェブサイトへのアクセス数を増やす試みが日々行われている。
中でも、検索エンジンによる検索結果の上位にランクされるようにする対策、即ちＳＥＯ（検索エンジン最適化）対策は、自社サイトへのアクセス数を増やし、広告宣伝の効果を最大化するために非常に重要なものとなっている。
【０００４】
ＳＥＯ対策は検索エンジンの技術構成によるところが大であるが、ページ数が多いサイト、頻繁に更新されるサイト、外部のリンクが多いサイトが検索結果の上位にランクされるようになっている。したがって、ＳＥＯ対策として、サイト内のページ数を増やすこと、更新の頻度をなるべく多くすること、他の多くのサイトにリンクを貼ってもらうようにする等が行われる場合が多い。
【０００５】
しかしながら、規模の小さい企業では、コストの関係から多くのページを含む大規模なウェブサイトを構築することが困難であるし、事業規模が大きくない場合には紹介するべき商品やサービスの数が少なく、ページ数を多くできない場合が多い。また、外部サイトにリンクを貼ってもらうことも、企業間のコネクションの少ない中小企業では難しい場合が多い。このため、更新を頻繁に行うことが中小企業にとっての主たるＳＥＯ対策となっている。
【先行技術文献】
【特許文献】
【０００６】
【特許文献１】特開２００９−２８９１２３号公報
【発明の概要】
【発明が解決しようとする課題】
【０００７】
しかしながら、更新を頻繁にするといっても、ウェブサイトで紹介すべき事項（イベントや新製品発表等）がそれほど多くある訳ではなく、ネタ切れの状態で無理矢理更新するというような状況も見られる。こうなると、ユーザーにとって特に有益ではない情報が単に更新されるのみで、検索結果において上位にランクされても最終的なアクセスや閲覧につながっていかない可能性が高い。
本願の発明は、このような状況を考慮して為されたものであり、中小企業のＳＥＯ対策として実効のある対策を簡便にできるようにすることを目的としている。
【課題を解決するための手段】
【０００８】
上記課題を解決するため、本願の発明は、検索エンジン最適化対策システムという形態を取る。このシステムの大きな特徴点は、検索エンジン最適化対策サービスを、特定の業界に属して同種の事業を行っている異なる複数の事業主に提供する検索エンジン最適化対策システムであるということである。
そして、このシステムは、ユーザーがインターネット検索を行った際の検索結果において自社のウェブページがより上位にランクされるようにする検索エンジン最適化対策サービスを、特定の業界に属して同種の事業を行っている異なる複数の事業主に提供する検索エンジン最適化対策システムであって、
一つの共用サイトを提供するインターネットサーバであるメインサーバを備えており、
この一つの共用サイトには、前記異なる複数の事業主の広告ページである事業主別ページが含まれており、
各事業主別ページには、前記特定の業界の同種の事業に関するキーワードが設定されていて、当該特定の業界の当該同種の事業を検索した際にヒットするようになっており、
各事業主別ページには、地域を特定するキーワードと、前記特定の業界の同種の事業に関するキーワードが設定されていて、当該地域と当該特定の業界の当該同種の事業を検索した際にヒットするようになっている。
また、このシステムは、事業主別ページに係る事業主が、同一の地域において一の事業主に限られているという構成を持ち得る。
また、このシステムは、各事業主がメインサーバとは別のサーバにおいて自社サイトを運営している場合、このシステムは、共用サイト内の事業主別ページに、当該事業主別ページがユーザー端末に表示された状態においてユーザーの操作により自社サイト内のウェブページが当該ユーザー端末に表示されるようにする誘導手段が設けられているという構成を持ち得る。
また、このシステムは、共用サイトにおいて、事業主別ページよりも上位のウェブページは設けられていないという構成を持ち得る。
また、このシステムは、共用サイトにおいて、事業主別ページよりも上位のウェブページが設けられており、当該上位のウェブページには、地域を特定するキーワードが設定されていないという構成を持ち得る。
【発明の効果】
【０００９】
以下に説明する通り、本願発明の検索エンジン最適化対策システムによれば、共用サイトは、異なる複数の事業主別ページを持つ構造となるので、共用サイトのページ数が多くなる。このため、共用サイトは、ユーザーによる検索において、検索結果の上位にランクされるようになる。この際、共用サイトの各ページ（各事業主別ページ）は、特定の業界の同種の事業に関するキーワードが設定されているので、共用サイトは当該特定の業界の同種の事業に関するサイトであると検索エンジンにおいて評価され、ページ数が多いことと相まって上位にランクされるようになる。
またこの際、各事業主別ページには地域を特定するキーワードが設定されているので、ユーザーが地域を特定するキーワードを入力して検索を行った際、当該地域の事業主に係る事業主別ページがより上位にランクされることになる。このため、地域を基盤として事業活動を行っている事業主において特に好適なものとなる。
また、事業主別ページに係る事業主は同一の地域において一の事業主に限られていると、同一地域で複数の事業主別ページが競合することないので、地域を基盤として事業活動を行っている事業主においてさらに好適なものとなる。
また、事業主別ページに自社サイトへの誘導手段が設けられていると、ユーザーがより詳細な情報を得るのが簡便になったり、自社サイトについてもより上位にランクされるようになったりする効果が生じる。
また、共用サイトにおいて、事業主別ページよりも上位のページは設けられていない構成の場合、上位のページによって事業主別ページのランクが下がってしまう問題が生じないので、より好適である。
また、共用サイトにおいて、事業主別ページよりも上位のページが設けられており、当該上位のウェブページには、地域を特定するキーワードが設定されていない構成の場合、上位のページによって事業主別ページのランクが下がってしまう問題が同様に生じないので、より好適である。
【図面の簡単な説明】
【００１０】
【図１】第一の実施形態に係る検索エンジン最適化対策システムの概略図である。
【図２】共用サイトにおけるページ構造を示した概略図である。
【図３】ある事業者別ページがユーザー端末における検索によりヒットして表示される様子の一例について示した概略図である。
【図４】実施形態のシステムにおける検索エンジン最適化対策を概念的に示した図である。
【図５】第二の実施形態の検索エンジン最適化対策システムの主要部の概略図である。
【図６】第二の実施形態における共用サイトのトップページの一例を示した概略図である。
【図７】第二の実施形態において、共用トップが検索エンジンでの検索結果から直接ジャンプして表示される様子を示した概略図である。
【発明を実施するための形態】
【００１１】
以下、この出願の発明を実施するための形態（実施形態）について説明する。
図１は、第一の実施形態に係る検索エンジン最適化対策システムの概略図である。このシステムは、基本的には一つのサーバ１によって構成されている。サーバ１は、インターネットサーバ（ウェブサーバ）である。この実施形態では、サーバ１は、検索エンジン最適化対策サービスを複数の顧客に対して提供する業者（以下、ＳＥＯ対策業者という。）によって運営されている。以下、このサーバ１をメインサーバと呼ぶ。
メインサーバ１は、記憶部３を備えている。記憶部３は、メインサーバ１が備えるハードディスクのようなストレージの場合もあるし、別に設けられたサーバ（ストレージサーバ）の場合もある。
【００１２】
この実施形態のシステムの大きな特徴点は、一つの特定の業界に属して同種の事業を行っている異なる複数の事業主に提供する検索エンジン最適化対策サービスを提供する点である。このサービスの提供を受ける各事業主を、以下、ＳＥＯ依頼業者と呼ぶ。
【００１３】
図１において、メインサーバ１はウェブサーバであるので、Appacheのようなサーバソフトウェアが実装されている。メインサーバ１は、上記同種の事業に共通した広告宣伝を行うサイトを提供するものである。このサイトを、以下、共用サイトという。
【００１４】
共用サイトには、前記特定の業界の共通した事業に関するキーワードやコメントが検索エンジンのために設定されている。例えば、一戸建て住宅の建築が「同種の事業」である場合、“マイホーム”、“住宅建築”といったキーワードや、“住宅建築の施工例が紹介されている”等のコメントが設定されている。
【００１５】
一方、各ＳＥＯ依頼業者は、それぞれ自社のウェブサイト（以下、自社サイトという。）を持っている。即ち、各ＳＥＯ依頼業者はそれらホスティング会社と契約しており、ホスティング会社のサーバで自社サイトを運営している。以下、これら各ＳＥＯ依頼業者のウェブサイトをサブサイトという。また、ＳＥＯ依頼業者のウェブサイトを提供しているサーバ２をサブサーバという。各サブサーバ２は、記憶部５を有しており、記憶部５には、自社サイト用のＨＴＭＬファイル５１が記憶されている。
【００１６】
上記説明から解るように、実施形態の検索エンジン最適化対策システムの最終的な目的は、自社の広告用ページの閲覧数を増やすことである。そのための手段として、広告用ページを自社サイトに置くのではなく（又は自社サイトのみに置くのではなく）、ＳＥＯ対策業者が提供する共用サイト内に置く構成が採用されている。
【００１７】
図２は、共用サイトにおけるページ構造を示した概略図である。共用サイトは、メインサーバ１によって提供されるので、図２は、記憶部３に設けられた共用サイト用のディレクトリ構造ということができる。
図２に示す例では、共用サイトは、hagukumi-life.jpというドメイン名で提供されるサイトとなっている。図２に示すように、共用サイトのＵＲＬにおいて、www.hagukumi-life.jpで提供されるルートの下位に設けられたディレクトリ（以下、単に下位ディレクトリ）３０は、各ＳＥＯ依頼業者用に分けて設けられたディレクトリとなっている。この例では、abc-house、zyz-const等のディレクトリが設けられている。これら下位ディレクトリ３０は、各ＳＥＯ依頼業者の広告用ページ（以下、事業主別ページという。）を提供するディレクトリである。
【００１８】
各下位ディレクトリ３０には、各事業主別ページ表示用のＨＴＭＬファイル（以下、個別ページＨＴＭＬという。）３１や、各事業主別ページ内に組み込まれるコンテンツ（イメージ等）用のファイル（以下、コンテンツファイルという。）が記憶されている。
また、各個別ページＨＴＭＬ３１や各コンテンツファイルには、当該事業主別ページに応じたキーワードが設定されている。この部分も実施形態のシステムの大きな特徴点となっている。この点について、図２を参照して説明する。
【００１９】
図２において、各破線で囲まれた部分は、記憶部３において一つの事業主別ページを表示するためのファイル群を示す。この例では、特定の業界は建築業界であり、同種の事業は一戸建ての注文建築となっている。このため、各個別ページＨＴＭＬや各コンテンツファイルには、“建築”、“マイホーム”、“一戸建て”といったキーワードの設定（より具体的にはメタタグの埋め込み）がされている。
【００２０】
そして、この実施形態では、各事業主別ページに係る事業主は、同一の地域において一の事業主に限られており、図２に示すようにその地域の名称もキーワードとして設定されている。以下、この地域の名称のキーワードを地域ワードという。ＳＥＯ対策事業者、同一の業界及び同一の業種については一地域に一社のみＳＥＯ対策サービスを提供するとして各ＳＥＯ依頼業者と契約している。図２に示す例では、ＡＢＣハウスというＳＥＯ依頼業者は埼玉県さいたま市の会社であり、ＸＹＺ建設は大阪府大阪市の会社となっている。したがって、図２に示すように、abc-houseの下位ディレクトリ３０で提供される事業主別ページには、“さいたま市”がキーワードとして設定されており、xyz-constの下位ディレクトリ３０で提供される事業主別ページには、“大阪市”がキーワードとして設定されている。
【００２１】
次に、このような共用サイトに含まれる事業者別ページの一例について説明する。図３は、ある事業者別ページがユーザー端末における検索によりヒットして表示される様子の一例について示した概略図である。
【００２２】
図３において、例えばさいたま市に住んでいるユーザーがマイホームの建築を検討しており、建築業者を探していたとする。この場合、このユーザーは、ユーザー端末４において、“マイホーム”、“建築”、“一戸建て”のようなキーワードを入力する。それとともに、地元の業者が良いと考え、“さいたま市”のキーワードも入力する。これにより、図３（１）に示すような検索結果であったとする。
【００２３】
図３（１）に示すように、検索結果では、ＡＢＣハウスのページ（事業主別ページ）のタイトルが上位に表示され、このウェブページが上位にランクされる。ユーザーがこのタイトル３２の表示部分をタップすると、図３（２）に示すように、ＡＢＣハウスの事業主別ページがユーザー端末４に表示される。この際、図３（２）に示すように、この事業主別ページのＵＲＬはhttp://www.hagukumi-life.jp/abc-house/constsample.htmlであるが、ＡＢＣハウスの自社サイトのひとつのようなレイアウトのページとなっている。ＡＢＣハウスの自社サイトの一つのページのような印象を与えるよう、ＨＴＭＬファイル及び各コンテンツファイルが制作されている。
【００２４】
即ち、図３（２）に示すように、この例の事業主別ページの上部には、会社名を表記した欄が設けられており、その下に幾つかのリンクボタンが設けられている。これらのデザインは、この会社の自社サイトと共通となっている。これらのうち、「施工例」と表記された以外のボタン３３は、この実施形態における誘導手段を構成している（以下、誘導ボタン）。誘導手段は、自社サイト内のウェブページに誘導する手段である。
【００２５】
例えば、「トップページへ」と表記されたボタン３３が設けられている。このボタン３３は、自社サイトのトップページへのリンクボタンである。したがって、このボタン３３をタップすると、図３（３）に示すように、自社サイトのトップページが表示される。この際、ページの画面全体の印象としては、自社サイト内で他のページに飛んだような印象を受けるが、実際には、共用サイトから自社サイトに飛んでおり、メインサーバ１からサブサーバ２に遷移している。即ち、図３（２）（３）に示すように、ユーザー端末４上のブラウザで表示されるＵＲＬは、http://www.hagukumi-life.jp/abc-house/constsample.htmlからhttp://www.abc-house.co.jp/index.htmlに切り替わる。実際には、このような表示ＵＲＬの変化は注視されない場合が多いし、スマートフォン用ブラウザの場合には完全なＵＲＬ表示がされない場合も多いから、ユーザーはこの変化に気がつかない場合が多い。つまり、ユーザーは、自社サイトの特定のページを最初に表示し、それからトップページに飛んだというように感じる。
【００２６】
尚、この例では、図３（３）に示すようにトップページに「施工例」というボタン３３０が設けられている。このボタン３３０は、自社サイト内のページにリンクしているように見えるが、実際には共用サイト内の事業主別ページへのリンクボタンである。したがって、このボタン３３０をタップすると、ユーザー端末４上のＵＲＬ表示は、http://www.abc-house.co.jp/index.htmlからhttp://www.hagukumi-life.jp/abc-house/constsample.htmlに切り替わる。ちなみに、ブラウザの戻るボタンをタップした場合も、元のページに戻るから、http://www.abc-house.co.jp/index.htmlからhttp://www.hagukumi-life.jp/abc-house/constsample.htmlに切り替わり、事業主別ページ（ここでは施工例のページ）が表示される。尚、戻るボタンがタップされた場合、ブラウザの機能により情報の再送信が要求されることがあるので、その場合には再送信する。
【００２７】
図２に示す他の下位ディレクトリ３０で提供される他の事業主別ページも、同様の構成である、共通した業界の共通した事業に関するキーワードと地域を特定するキーワードが設定されており、それらキーワードがユーザー端末４で入力されると、検索結果において上位にランクされ、ページタイトルが上位に表示される。そして、ページタイトルをタップすると、そのＳＥＯ依頼業者の事業主別ページがユーザー端末４に表示される。そして、そこに含まれる誘導ボタン３３をタップすると、当該ＳＥＯ依頼業者の自社サイトに飛ぶが、ユーザーは、当該自社サイトでページが移動したような印象を持つ。
【００２８】
図２に示すように、メインサーバ１の記憶部３には、このような下位ディレクトリ３０がパラレルに多数設けられており、各下位ディレクトリ３０に各ＳＥＯ依頼業者の事業主別ページ用のファイルが記憶されている。そして、各ファイルには、共通した業界の共通した事業に関するパスワードに加え、地域ワードが設定されている。
【００２９】
このような実施形態の検索エンジン最適化システムの動作について、以下に説明する。
まず、ＳＥＯ対策業者は、特定の業界で同種の事業を営んでいる各社に協働のＳＥＯ対策について参加を募る。そして、応募してきたＳＥＯ依頼業者に対して、記憶部３内の下位ディレクトリ３０に記憶する事業主別ページ用の各ファイルを提供してもらう。各ファイルは、通常、当該ＳＥＯ依頼業者の自社サイトのページと同様のレイアウトで事業主別ページをユーザー端末４に表示するためのファイルである。
【００３０】
ＳＥＯ対策業者は、提供された各ファイルを、当該ＳＥＯ依頼業者用の下位ディレクトリ３０に記憶し、ユーザー端末４からのアクセスにより事業主別ページがユーザー端末４に表示されるようにしておく。この際、必要なキーワードの登録もしておく。即ち、共用サイト内で共通する業界の共通した業種に関するキーワード、及び一地域一社限定における地域ワードが登録される。
【００３１】
ユーザーがユーザー端末４においてキーワードを入力して検索すると、検索結果が表示される。この際、共用サイトは、一つのＵＲＬによってホスティングされる一つサイトであり、そこには多数の事業主別ページが用意されている。したがって、共用サイトは全体としてページ数の非常に多いサイトである。このため、検索結果の上位にランクされ易い。そして、入力されたキーワードに地域ワードが含まれると、地域に関するキーワードの優先順位は高いので、その地域ワードが設定キーワードに含まれている事業主別ページが検索結果においてより上位にランクされる。
【００３２】
ユーザーは、図３（１）に示すように上位にランクされた特定の事業主別ページのページタイトル３２をタップし、図３（２）に示すように事業主別ページを表示する。そして、この会社に興味を持った場合、誘導ボタン３３をタップし、自社サイトの他のページを閲覧する。この際、ホスティングしているサーバは、メインサーバ１からサブサーバ２に遷移する。図３（３）に示すように、この例の自社サイトでは、事業主別ページへのリンクボタン（この例では「施工例」と表記されたボタン）３３０が設けられている。したがって、施工例のページをもう一度見たいと思ってこのボタン３３０をタップすると、メインサーバ１に戻り、事業主別ページがユーザー端末４に表示される。
【００３３】
このような実施形態の検索エンジン最適化対策システムによれば、メインサーバ１が提供する共用サイトは、多数のＳＥＯ依頼業者の広告用のページである事業主別ページをとりまとめた際となっており、多数のページを有する。このため、図３（１）に示すように、事業主別ページが上位にランクされ易い。
【００３４】
この際、共用サイトが雑多な情報が掲載されているサイトであったり、ダミーのページが多く掲載されている価値のないサイトであったりすると、検索エンジンの運営会社によって見破られて評価が著しく低下してしまう。この実施形態では、「同種の事業」を営む多数のＳＥＯ依頼業者の事業主別ページであり、各ページには、共通した業界の共通した事業に関するキーワードが設定されているので、その事業の情報を多数掲載した情報であると検索エンジンによって評価される。このため、検索結果において上位にランクされ易くなる。
【００３５】
各事業主別ページの間での優劣（ランクの順位）については、地域ワードが重要な意味を持つ。即ち、各事業主ページには、地域ワードが設定されており、これがユーザー入力のキーワードに含まれると、その地域ワードが設定されている事業主別ページがより上位にランクされる。前述した例でいうと、ＡＢＣハウスの事業主別ページも、ＸＹＺ建設の事業主別ページも、検索エンジンから見ると、hagukumi-life.jpという大きな（ページ数の多い）サイトの一つのページであるが、ユーザーの入力キーワードの中に"さいたま市"というのがあると、ＡＢＣハウスのページ（www.hagukumi-life.jp/abc-house/constsample.html）をより上位にランクするのである。
【００３６】
上記説明から解る通り、実施形態のＳＥＯ対策支援システムは、地域にある程度限定している中小企業のためのＳＥＯ対策として特に好適となる。即ち、共用サイトは多数の事業主別ページをとりまとめているので、全体のページ数は非常に大きく、大企業の大規模なサイトと引けを取らないものとなり得る。そして、共用サイトの中での競争はあるが、そこでは、地域ワードがランキングに影響を及ぼし、且つ一地域一社というように決まっているので、地域ワードが一致又は相関すれば、その事業主別ページが上位にランクされることになる。このため、ＳＥＯ依頼業者が特定の地域に基盤を置いて活動している中小企業である場合、ユーザーが地域ワードを入力してくれさえすれば、大企業の大規模なサイトを伍して上位にランクされるようになるのである。
【００３７】
尚、地域ワードの相関とは、検索エンジンの機能において、関連したキーワードであるとしてヒットさせる場合を指す。例えば、都道府県単位の地域名称が地域ワードとして設定されている場合、ユーザーが市町村名をキーワードとして入力した場合、当該市町村が属する都道府県の名前が地域ワードとして設定されていれば、ヒットしたという扱いをする機能である。
また、上記のように、一地域一社というように制限しておくことがより好ましいが、一地域に複数のＳＥＯ依頼業者であっても良い。ある地域に複数のＳＥＯ依頼業者があってそれぞれ事業主別ページが設けられている場合、当該地域の名称をキーワードに含む状態でユーザーが検索を行うと、それら事業主別ページを検索エンジンが評価し、ランクづけする。例えば、イメージファイルの多い事業主別ページが上位にランクされたり、より更新が頻繁な事業主別ページが上位にランクされたりする。
【００３８】
上記のような実施形態のシステムの構成を概念的に示すと、図４に示すようなものとなる。図４は、実施形態のシステムにおける検索エンジン最適化対策を概念的に示した図である。図４に示すように、各ＳＥＯ依頼業者は、各サブサーバ２において自社サイトを運営している。各自社サイトは、通常、トップページと幾つかのサブページを含んでいる。これらページは、サブサーバ２でホスティングされる。しかし、全てがサブサーバ２でホスティングされているのではなく、一つのページは、メインサーバ１でホスティングされる。即ち、メインサーバ１でホスティングされる共用サイトの一つのページとしてホスティングされる。このページが、上述した事業者別ページとなっている。
【００３９】
つまり、事業者別ページは、内容的には当該ＳＥＯ依頼業者の自社サイトのコンテンツであるが、それを提供するサーバはメインサーバ１であり、別のドメインで指定される共用サイトの一ページとなっている。そして、共用サイトは、そのような事業者別ページを多数有するサイトであるため、このサイトは検索エンジンに非常に価値の高いサイトと評価されるものとなり、そこに含まれる各事業主別ページは検索結果において常に上位にランクされるようになるのである。
【００４０】
また、周知のように、評価の高いサイトにリンクが貼られているサイトは、同様に評価が高くなる傾向にあり、最近ではこの傾向がより強まっている。上記のように、この実施形態では、自社サイト内のページ（例えばトップページ）は、共用サイトにリンクが貼られているのと等価なので、検索エンジンは、各自社サイト自体についても評価の高いサイトとするのである。このため、共用サイトを経由しない場合でも、各自社サイトは検索結果において上位にランクされるようになる。
【００４１】
このような実施形態の構成において、共用サイトは、各事業主別ページよりも上位のページを持たない構造であることが望ましい。「上位の」とは、階層構造において上のページということである。上位のページを持ってしまうと、ユーザーが検索した場合、そのページが各事業主別ページよりも上にランクされてしまい、その分（１個分）だけ事業主別ページが下位にランクされてしまい易いからである。つまり、共用サイトは、各事業主別ページをとりまとめただけのサイトであり、それ自身のトップページは持たない構造とすることが望ましい。
【００４２】
次に、第二の実施形態の検索エンジン最適化対策システムについて説明する。図５は、第二の実施形態の検索エンジン最適化対策システムの主要部の概略図である。図５は、図２と同様、メインサーバ１の記憶部３におけるディレクトリ構造を示している。
【００４３】
第一の実施形態では、各事業主別ページよりも上位のページは設けない方が好ましいと説明したが、第二の実施形態では、敢えて上位のページとして共用サイトのトップページ（hagukumi-life.jp/index.html）を設けており、トップページ用のＨＴＭＬファイル３００がサイトのルートディレクトリに記憶されている。トップページには、各事業主別ページと同様に、共通の業界の共通した事業に関するキーワードが設定されている。前述した例で言うと、“マイホーム”、“一戸建て”、“注文建築”等が設定されている。トップページが設けられている以外は、第一の実施形態と基本的に同様である。図６は、第二の実施形態における共用サイトのトップページの一例を示した概略図である。
【００４４】
共用サイトを設ける理由の一つは、自社サイトに飛ばずに当該ＳＥＯ依頼業者への問い合わせを可能にするためである。もう一つの理由は、ユーザーが地域ワードを入力しなかった場合の対応のためである。
【００４５】
図６（１）には、ある事業主別ページがユーザー端末４に表示された状態が示されている。図６（１）に示すように、この実施形態では、事業主別ページには、「問い合わせ」と表示されたボタン３４が設けられている。このボタン３４は、共用サイトのトップページ（以下、共用トップと略称する。）のリンクボタンである。このボタン３４がタップされると、図６（２）示す共用トップが表示される。
【００４６】
図６（２）に示すように、共用トップは、トップページとはいっても、各ＳＥＯ依頼業者の企業情報や問い合わせ用の電話番号やメールアドレスが表示されただけのページとなっている。各ＳＥＯ依頼業者の企業情報等は、アンカーリングされたブロックごとに掲載されている。各ブロックには、ＳＥＯ依頼業者を識別するアンカー名が記載されており、どの事業者別ファイルから飛んだかによってアンカー名が選択されるようになっている。即ち、図６（１）に示すように例えばＡＢＣハウスの事業者別ページから飛んだ場合、ＡＢＣハウスの情報を表示したブロックにジャンプするようになっている。
【００４７】
また、共用トップは、検索エンジンでの検索結果から、直接ジャンプして表示されることもあり得る。この例を示したのが、図７である。例えば、同様に一戸建ての注文建築を「同種の事業」とする例で、“マイホーム”、“一戸建て”、“注文建築”のようにキーワードを入力すると、図７（１）に示すように共用トップのタイトル３５が検索結果の上位にランクされて表示される。ここで、このタイトル３５をタップすると、図７（２）に示すように共用トップがユーザー端末４に表示される。
【００４８】
図７（２）に示すように、共用トップが、検索エンジンから直接呼び出されて表示される場合、このサイトを紹介するテキストに続き、地域選択欄３６が表示されるようになっている。地域選択欄３６は、この例ではプルダウンリストであるが、日本地図を表示し、そこから選ぶ欄であっても良い。
【００４９】
地域選択欄３６の下には、「工務店情報を見る」と表記されたボタン３７が設けられている。メインサーバ１には、事業主別ページ表示プログラムが実装されており、このボタン３７は、事業主別ページ表示プログラムの実行ボタンとなっている。事業主別ページ表示プログラムは、選択された地域のＳＥＯ依頼業者の事業主別ページをユーザー端末４に送信するプログラムである。事業主別ページ表示プログラムが実行されると、図２（２）に示すのと同様に事業主別ページがユーザー端末４に表示される。その後の動作は、第一の実施形態と同様である。
【００５０】
尚、第二の実施形態において、共用トップには、地域ワードは一切設定しないようにしておくことが望ましい。第二の実施形態において、各事業主別ページに設定される各地域ワードを共用トップにも設定しておくことが考えられる。このようにすると、共用トップのＳＥＯ対策としてはより好ましいということになるが、肝心の事業主別ページが共用トップよりも下位にランクされることになり易い。例えば、ユーザーが、“マイホーム”、“一戸建て”、“注文建築”というキーワードに加えて、“さいたま市”と入力した場合、“さいたま市”が共用トップにも設定されていると、ＡＢＣハウスの事業主別ページによりも共用トップが上位にランクされてしまい、ユーザーは最初に共用トップに飛んでしまうことになり易い。こうなると、ＡＢＣハウスとしては、ＳＥＯ対策の効果が低下してしまうし、ユーザーも、“さいたま市”と入力したのにもかかわらず、共用トップでまた地域を選択しなければならない煩わしさが生じる。したがって、共用トップでは、各事業主別ページの地域ワードは一切設定しない状態とすることが望ましい。
【００５１】
上記の通り、第二の実施形態によれば、第一の実施形態における効果に加え、ユーザーがＳＥＯ対策依頼業者に対して問い合わせがし易かったり、地域ワードを入力しなかった場合でもユーザーを事業主別ページに誘導できたりする効果が得られる。
【００５２】
尚、説明は省略したが、メインサーバ１には、事業主別ページのコンテンツをアップさせるためのアップロードプログラムを実装している。ＳＥＯ対策業者は、ＳＥＯ依頼業者に対するサービスとしてアップロードプログラムを提供している。メインサーバ１は、共用サイトとは別に、ＳＥＯ依頼業者向けのサービスを提供するサイトをホストしており、このサービスは会員制となっている。各ＳＥＯ依頼業者には、ＩＤとパスワードが発行され、各ＳＥＯ依頼業者の担当者は、自身が操作する端末（以下、担当者端末）でＩＤとパスワードを入力してログインする。アップロードプログラムは、アップロードするコンテンツのファイルを指定させる画面を担当者端末に表示し、そこで指定されたファイルをメインサーバ１に転送させ、当該ＳＥＯ依頼業者用の下位ディレクトリ３０に記憶するプログラムとなっている。コンテンツには、写真等のイメージファイルの他、担当者が担当者端末で入力したテキストが含まれ得る。
【００５３】
メインサーバ１は、アップロードプログラムから呼び出されるプログラムとして、個別ページＨＴＭＬ３１を書き換える書き換えプログラムを実装している。書き換えプログラムは、アップされたコンテンツが当該事業主別ページに含まれるよう個別ページＨＴＭＬ３１を書き換える。この際、アップされたコンテンツ自体についても、メタタグを埋め込み等によって各キーワードが設定されるようにする。通常、共通のキーワードはいわゆる定数であるが、地域ワードはＳＥＯ依頼業者によって異なるので、変数となる。メインサーバ１の記憶部３には、ＳＥＯ依頼業者の情報を記録したデータベースファイルが記憶されており、そこから、地域ワードを取得する。
【００５４】
上記各実施形態では、事業主別ページがメインサーバ１でホスティングされており、自社サイトの各ページがサブサーバ２でホスティングされていたが、事業主別ページは、メインサーバ１とサブサーバ２の両方でホスティングされた構成としても良い。つまり、事業主別ページを表示する同様の個別ページＨＴＭＬが共用サイトのドメインと自社サイトのドメインとの双方に記憶されていても良い。この場合、ユーザーにおける検索の際には、共用サイト内の事業主別ページの方が評価が高いので、それが最初にユーザー端末４に表示される。そして、自社サイトのページに飛んだ後、そのページに埋め込まれているリンクボタンで事業主別ページを閲覧しようとした場合は、サブサーバ２でホスティングされている事業主別ページが表示される。但し、ブラウザの戻るボタンが押された場合、メインサーバ１でホスティングされている事業主別ページが表示される。
【００５５】
また、上記説明や各図では、共用サイトや自社サイトは、スマホ用のサイトであるように説明や図示がされているが、これらサイトはＰＣ版のサイトであっても良いことは勿論である。
【００５６】
さらに、上記各実施形態の説明では、特定の業界として建築業界を採り上げ、同種の事業として一戸建て住宅建築を採り上げたが、これは単なる一例であり、他の業界、業種もあり得る。例えば、住宅のリフォームが「同種の事業」の場合もあるし、新築マンション販売が「同種の事業」の場合もある。また、建築業界以外の例としては、例えば外食業界の場合、居酒屋が「同種の事業」であったり、喫茶店が「同種の事業」であったりし得る。さらに、理容業界の場合、美容室が「同種の事業」であったり、散髪店が「同種の事業」であったりし得る。
【００５７】
上記は「同種の事業」がサービス業の場合であったが、物販について実施されることもあり得る。例えば、各種果物を贈呈品等として紹介ないし販売するサイトが共用サイトであり、全国各地の果物生産業者が自分のところの名産果物を紹介ないし販売するページをサブページ４としてアップする構成等が考えられる。
【００５８】
また、上記説明では、地域ワードにおける地域の単位は、市単位であったが、都道府県の場合もあるし、都市部では区単位の場合もある。さらに細分化して、町単位の場合もあるし、丁目単位の場合もあり得る。
【符号の説明】
【００５９】
１  メインサーバ
２  サブサーバ
３  記憶部
３１  下位ディレクトリ
３３  誘導ボタン
４  ユーザー端末
【図１】
2020119202.tif 000003
【図２】
2020119202.tif 000004
【図３】
2020119202.tif 000005
【図４】
2020119202.tif 000006
【図５】
2020119202.tif 000007
【図６】
2020119202.tif 000008
【図７】
2020119202.tif 000009
【手続補正書】
【提出日】令和1年8月12日(2019.8.12)
【手続補正１】
【補正対象書類名】特許請求の範囲
【補正対象項目名】全文
【補正方法】変更
【補正の内容】
【特許請求の範囲】
【請求項１】
ユーザー端末の操作により検索エンジンが動作してインターネット検索が行われた際の検索結果において自社のウェブページがより上位にランクされるようにする検索エンジン最適化対策サービスを、特定の業界に属して同種の事業を行っている異なる複数の事業主に提供する検索エンジン最適化対策システムであって、
前記特定の業界に属して同種の事業を行っている異なる複数の事業主が共用する一つの共用サイトを提供するインターネットサーバであるメインサーバを備えており、
メインサーバは、記憶部を備えており、
共用サイトは、前記異なる複数の事業主について各々設けられた広告用のページである各事業主別ページを有しており、メインサーバの記憶部には、これら各事業主別ページを表示するためのファイルである共用サイト個別ページ用ファイルが記憶されており、
各共用サイト個別ページ用ファイルは、共用サイトを示す一つのＵＲＬにおいて記憶されており、
各共用サイト個別ページ用ファイルには、地域を特定するキーワードと、前記特定の業界の同種の事業に関するキーワードが設定されていて、当該地域を特定するキーワードと当該特定の業界の同種の事業に関するキーワードとがユーザー端末において入力されて検索エンジンが動作した際にこれらキーワードによりヒットするようになっており、
前記各事業主は、前記メインサーバとは別のサーバにおいて自社サイトを運営しており、当該別のサーバは記憶部を備えており、この記憶部には、自社サイトにおける広告用ページを表示するためのファイルである自社サイト広告ページ用ファイルが記憶されており、
前記共用サイト個別ページ用ファイルには、当該共用サイト個別ページ用ファイルがユーザー端末に送信されて表示された状態におけるユーザーの操作により当該共用サイト個別ページ用ファイルに係る事業主の自社サイト広告ページ用ファイルが当該ユーザー端末に送信されて表示されるようにするリンクボタンが設けられており、
前記共用サイト個別用ページファイルは、当該共用サイト個別ページ用ファイルに係る事業主の自社サイトの一つのページである印象を与えるページを提供するファイルとなっていることを特徴とする検索エンジン最適化システム。
【請求項２】
ユーザー端末の操作により検索エンジンが動作してインターネット検索が行われた際の検索結果において自社のウェブページがより上位にランクされるようにする検索エンジン最適化対策サービスを、特定の業界に属して同種の事業を行っている異なる複数の事業主に提供する検索エンジン最適化対策システムであって、
前記特定の業界に属して同種の事業を行っている異なる複数の事業主が共用する一つの共用サイトを提供するインターネットサーバであるメインサーバを備えており、
メインサーバは、記憶部を備えており、
共用サイトは、前記異なる複数の事業主について各々設けられた広告用のページである各事業主別ページを有しており、メインサーバの記憶部には、これら各事業主別ページを表示するためのファイルである共用サイト個別ページ用ファイルが記憶されており、
各共用サイト個別ページ用ファイルは、共用サイトを示す一つのＵＲＬにおいて記憶されており、
各共用サイト個別ページ用ファイルには、地域を特定するキーワードと、前記特定の業界の同種の事業に関するキーワードが設定されていて、当該地域を特定するキーワードと当該特定の業界の同種の事業に関するキーワードがユーザー端末において入力されて検索エンジンが動作した際にこれらキーワードによりヒットするようになっており、
前記メインサーバの記憶部において、各共用サイト個別ページ用ファイルは、前記一つのＵＲＬの直下に記憶されており、各共用サイト個別ページよりも上位のウェブページを表示するためのファイルは記憶されていないことを特徴とする検索エンジン最適化システム。
【請求項３】
前記各共用サイト個別ページ用ファイルに係る事業主は、同一の地域において一の事業主に限られていることを特徴とする請求項１又は２記載の検索エンジン最適化システム。
【手続補正２】
【補正対象書類名】明細書
【補正対象項目名】００１２
【補正方法】変更
【補正の内容】
【００１２】
上記課題を解決するため、本願の発明は、検索エンジン最適化対策システムという形態を取る。このシステムの大きな特徴点は、検索エンジン最適化対策サービスを、特定の業界に属して同種の事業を行っている異なる複数の事業主に提供する検索エンジン最適化対策システムであるということである。
そして、このシステムは、ユーザー端末の操作により検索エンジンが動作してインターネット検索が行われた際の検索結果において自社のウェブページがより上位にランクされるようにする検索エンジン最適化対策サービスを、特定の業界に属して同種の事業を行っている異なる複数の事業主に提供する検索エンジン最適化対策システムであって、
前記特定の業界に属して同種の事業を行っている異なる複数の事業主が共用する一つの共用サイトを提供するインターネットサーバであるメインサーバを備えており、
メインサーバは、記憶部を備えており、
共用サイトは、前記異なる複数の事業主について各々設けられた広告用のページである各事業主別ページを有しており、メインサーバの記憶部には、これら各事業主別ページを表示するためのファイルである共用サイト個別ページ用ファイルが記憶されており、
各共用サイト個別ページ用ファイルは、共用サイトを示す一つのＵＲＬにおいて記憶されており、
各共用サイト個別ページ用ファイルには、地域を特定するキーワードと、前記特定の業界の同種の事業に関するキーワードが設定されていて、当該地域を特定するキーワードと当該特定の業界の同種の事業に関するキーワードとがユーザー端末において入力されて検索エンジンが動作した際にこれらキーワードによりヒットするようになっており、
前記各事業主は、前記メインサーバとは別のサーバにおいて自社サイトを運営しており、当該別のサーバは記憶部を備えており、この記憶部には、自社サイトにおける広告用ページを表示するためのファイルである自社サイト広告ページ用ファイルが記憶されており、
前記共用サイト個別ページ用ファイルには、当該共用サイト個別ページ用ファイルがユーザー端末に送信されて表示された状態におけるユーザーの操作により当該共用サイト個別ページ用ファイルに係る事業主の自社サイト広告ページ用ファイルが当該ユーザー端末に送信されて表示されるようにするリンクボタンが設けられており、
前記共用サイト個別用ページファイルは、当該共用サイト個別ページ用ファイルに係る事業主の自社サイトの一つのページである印象を与えるページを提供するファイルとなっている。
また、このシステムは、ユーザー端末の操作により検索エンジンが動作してインターネット検索が行われた際の検索結果において自社のウェブページがより上位にランクされるようにする検索エンジン最適化対策サービスを、特定の業界に属して同種の事業を行っている異なる複数の事業主に提供する検索エンジン最適化対策システムであって、
前記特定の業界に属して同種の事業を行っている異なる複数の事業主が共用する一つの共用サイトを提供するインターネットサーバであるメインサーバを備えており、
メインサーバは、記憶部を備えており、
共用サイトは、前記異なる複数の事業主について各々設けられた広告用のページである各事業主別ページを有しており、メインサーバの記憶部には、これら各事業主別ページを表示するためのファイルである共用サイト個別ページ用ファイルが記憶されており、
各共用サイト個別ページ用ファイルは、共用サイトを示す一つのＵＲＬにおいて記憶されており、
各共用サイト個別ページ用ファイルには、地域を特定するキーワードと、前記特定の業界の同種の事業に関するキーワードが設定されていて、当該地域を特定するキーワードと当該特定の業界の同種の事業に関するキーワードがユーザー端末において入力されて検索エンジンが動作した際にこれらキーワードによりヒットするようになっており、
前記メインサーバの記憶部において、各共用サイト個別ページ用ファイルは、前記一つのＵＲＬの直下に記憶されており、各共用サイト個別ページよりも上位のウェブページを表示するためのファイルは記憶されていない。
また、このシステムは、前記各共用サイト個別ページ用ファイルに係る事業主が、同一の地域において一の事業主に限られているという構成を持ち得る。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
ユーザー端末の操作により検索エンジンが動作してインターネット検索が行われた際の検索結果において自社のウェブページがより上位にランクされるようにする検索エンジン最適化対策サービスを、特定の業界に属して同種の事業を行っている異なる複数の事業主に提供する検索エンジン最適化対策システムであって、
前記特定の業界に属して同種の事業を行っている異なる複数の事業主が共用する一つの共用サイトを提供するインターネットサーバであるメインサーバを備えており、
メインサーバは、記憶部を備えており、
共用サイトは、前記異なる複数の事業主について各々設けられた広告用のページである各事業主別ページを有しており、メインサーバの記憶部には、これら各事業主別ページを表示するためのファイルである共用サイト個別ページ用ファイルが記憶されており、
各共用サイト個別ページ用ファイルは、共用サイトを示す一つのＵＲＬにおいて記憶されており、
各共用サイト個別ページ用ファイルには、地域を特定するキーワードと、前記特定の業界の同種の事業に関するキーワードが設定されていて、当該地域を特定するキーワードと当該特定の業界の同種の事業に関するキーワードとがユーザー端末において入力されて検索エンジンが動作した際にこれらキーワードによりヒットするようになっており、
前記各事業主は、前記メインサーバとは別のサーバにおいて自社サイトを運営しており、当該別のサーバは記憶部を備えており、この記憶部には、自社サイトにおける広告用ページを表示するためのファイルである自社サイト広告ページ用ファイルが記憶されており、
前記共用サイト個別ページ用ファイルには、当該共用サイト個別ページ用ファイルがユーザー端末に送信されて表示された状態におけるユーザーの操作により当該共用サイト個別ページ用ファイルに係る事業主の自社サイト広告ページ用ファイルが当該ユーザー端末に送信されて表示されるようにするリンクボタンが設けられており、
前記共用サイト個別ページ用ファイルは、当該共用サイト個別ページ用ファイルに係る事業主の自社サイトの一つのページである印象を与えるページを提供するファイルとなっていることを特徴とする検索エンジン最適化システム。
【請求項２】
ユーザー端末の操作により検索エンジンが動作してインターネット検索が行われた際の検索結果において自社のウェブページがより上位にランクされるようにする検索エンジン最適化対策サービスを、特定の業界に属して同種の事業を行っている異なる複数の事業主に提供する検索エンジン最適化対策システムであって、
前記特定の業界に属して同種の事業を行っている異なる複数の事業主が共用する一つの共用サイトを提供するインターネットサーバであるメインサーバを備えており、
メインサーバは、記憶部を備えており、
共用サイトは、前記異なる複数の事業主について各々設けられた広告用のページである各事業主別ページを有しており、メインサーバの記憶部には、これら各事業主別ページを表示するためのファイルである共用サイト個別ページ用ファイルが記憶されており、
各共用サイト個別ページ用ファイルは、共用サイトを示す一つのＵＲＬにおいて記憶されており、
各共用サイト個別ページ用ファイルには、地域を特定するキーワードと、前記特定の業界の同種の事業に関するキーワードが設定されていて、当該地域を特定するキーワードと当該特定の業界の同種の事業に関するキーワードがユーザー端末において入力されて検索エンジンが動作した際にこれらキーワードによりヒットするようになっており、
前記メインサーバの記憶部において、各共用サイト個別ページ用ファイルは、前記一つのＵＲＬの直下に記憶されており、各共用サイト個別ページよりも上位のウェブページを表示するためのファイルは記憶されていないことを特徴とする検索エンジン最適化システム。
【請求項３】
前記各共用サイト個別ページ用ファイルに係る事業主は、同一の地域において一の事業主に限られていることを特徴とする請求項１又は２記載の検索エンジン最適化システム。
【手続補正２】
【補正対象書類名】明細書
【補正対象項目名】００１２
【補正方法】変更
【補正の内容】
【００１２】
上記課題を解決するため、本願の発明は、検索エンジン最適化対策システムという形態を取る。このシステムの大きな特徴点は、検索エンジン最適化対策サービスを、特定の業界に属して同種の事業を行っている異なる複数の事業主に提供する検索エンジン最適化対策システムであるということである。
そして、このシステムは、ユーザー端末の操作により検索エンジンが動作してインターネット検索が行われた際の検索結果において自社のウェブページがより上位にランクされるようにする検索エンジン最適化対策サービスを、特定の業界に属して同種の事業を行っている異なる複数の事業主に提供する検索エンジン最適化対策システムであって、
前記特定の業界に属して同種の事業を行っている異なる複数の事業主が共用する一つの共用サイトを提供するインターネットサーバであるメインサーバを備えており、
メインサーバは、記憶部を備えており、
共用サイトは、前記異なる複数の事業主について各々設けられた広告用のページである各事業主別ページを有しており、メインサーバの記憶部には、これら各事業主別ページを表示するためのファイルである共用サイト個別ページ用ファイルが記憶されており、
各共用サイト個別ページ用ファイルは、共用サイトを示す一つのＵＲＬにおいて記憶されており、
各共用サイト個別ページ用ファイルには、地域を特定するキーワードと、前記特定の業界の同種の事業に関するキーワードが設定されていて、当該地域を特定するキーワードと当該特定の業界の同種の事業に関するキーワードとがユーザー端末において入力されて検索エンジンが動作した際にこれらキーワードによりヒットするようになっており、
前記各事業主は、前記メインサーバとは別のサーバにおいて自社サイトを運営しており、当該別のサーバは記憶部を備えており、この記憶部には、自社サイトにおける広告用ページを表示するためのファイルである自社サイト広告ページ用ファイルが記憶されており、
前記共用サイト個別ページ用ファイルには、当該共用サイト個別ページ用ファイルがユーザー端末に送信されて表示された状態におけるユーザーの操作により当該共用サイト個別ページ用ファイルに係る事業主の自社サイト広告ページ用ファイルが当該ユーザー端末に送信されて表示されるようにするリンクボタンが設けられており、
前記共用サイト個別ページ用ファイルは、当該共用サイト個別ページ用ファイルに係る事業主の自社サイトの一つのページである印象を与えるページを提供するファイルとなっている。
また、このシステムは、ユーザー端末の操作により検索エンジンが動作してインターネット検索が行われた際の検索結果において自社のウェブページがより上位にランクされるようにする検索エンジン最適化対策サービスを、特定の業界に属して同種の事業を行っている異なる複数の事業主に提供する検索エンジン最適化対策システムであって、
前記特定の業界に属して同種の事業を行っている異なる複数の事業主が共用する一つの共用サイトを提供するインターネットサーバであるメインサーバを備えており、
メインサーバは、記憶部を備えており、
共用サイトは、前記異なる複数の事業主について各々設けられた広告用のページである各事業主別ページを有しており、メインサーバの記憶部には、これら各事業主別ページを表示するためのファイルである共用サイト個別ページ用ファイルが記憶されており、
各共用サイト個別ページ用ファイルは、共用サイトを示す一つのＵＲＬにおいて記憶されており、
各共用サイト個別ページ用ファイルには、地域を特定するキーワードと、前記特定の業界の同種の事業に関するキーワードが設定されていて、当該地域を特定するキーワードと当該特定の業界の同種の事業に関するキーワードがユーザー端末において入力されて検索エンジンが動作した際にこれらキーワードによりヒットするようになっており、
前記メインサーバの記憶部において、各共用サイト個別ページ用ファイルは、前記一つのＵＲＬの直下に記憶されており、各共用サイト個別ページよりも上位のウェブページを表示するためのファイルは記憶されていない。
また、このシステムは、前記各共用サイト個別ページ用ファイルに係る事業主が、同一の地域において一の事業主に限られているという構成を持ち得る。